(57)【特許請求の範囲】
【請求項１】
車両の走行する道路の環境が比較的良好であるか否かを判別する道路環境判別手段と、
前記道路環境判別手段により前記環境が比較的良好であると判別されるときは、該環境が比較的劣悪であると判別されるときに比べて、車両運転者が漫然運転を行う可能性が高いと推定する漫然運転可能性推定手段と、
前記漫然運転可能性推定手段により車両運転者が漫然運転を行う可能性が高いと推定された場合に、運転者センサによる車両運転者の運転操作情報又は生体情報に基づいて該車両運転者による漫然運転の有無を判定し、一方、前記漫然運転可能性推定手段により車両運転者が漫然運転を行う可能性が低いと推定された場合に、前記運転者センサによる前記運転操作情報又は前記生体情報に基づく車両運転者による漫然運転の有無判定を行わない漫然運転有無判定手段と、
を備えることを特徴とする車両運転支援装置。
【請求項２】
前記漫然運転可能性推定手段により車両運転者が漫然運転を行う可能性が高いと推定された場合に、車両運転者の運転を支援するレベルを通常よりも高める運転支援レベル変更手段を備えることを特徴とする請求項１記載の車両運転支援装置。
【請求項３】
前記運転支援レベル変更手段は、前記漫然運転可能性推定手段により車両運転者が漫然運転を行う可能性が高いと推定された場合、車両運転者の運転を支援するシステムの作動タイミングを早めることを特徴とする請求項２記載の車両運転支援装置。
【請求項４】
前記道路環境判別手段は、インフラ装置から送信される情報に基づいて、前記環境としての天候が比較的良好であるか否か又は交通渋滞が生じていないか否かを判別することを特徴とする請求項１乃至３の何れか一項記載の車両運転支援装置。
【発明の詳細な説明】
【技術分野】
【０００１】
本発明は、車両運転支援装置に係り、特に、車両運転者が漫然運転を行う可能性を推定するうえで好適な車両運転支援装置に関する。
【背景技術】
【０００２】
従来、車両運転者の眠気や注意力等の活性度を測定するシステムが知られている（例えば、特許文献１参照）。このシステムは、車両に搭載された、心拍数を示す信号を発する生体センサを備えており、かかる車載の生体センサの出力に基づいて車両運転者の眠気や注意力等の活性度を測定し、ぼんやりとした漫然運転が行われているか否かを判定する。
【特許文献１】特開２００５−３１２６５３号公報
【発明の開示】
【発明が解決しようとする課題】
【０００３】
しかしながら、上記したシステムでは、漫然運転有無の判定を行うため車両運転者の眠気や活性度を測定するのに、車両に搭載した生体センサを用いることが必要であるので、装置自体が過大となり、また、コストが高くなる不都合が生ずる。
【０００４】
本発明は、上述の点に鑑みてなされたものであり、車両運転者の生体を直接的に検出する生体センサを用いることなく車両運転者による漫然運転を予測することが可能な車両運転支援装置を提供することを目的とする。
【課題を解決するための手段】
【０００５】
上記の目的は、車両の走行する道路の環境が比較的良好であるか否かを判別する道路環境判別手段と、前記道路環境判別手段により前記環境が比較的良好であると判別されるときは、該環境が比較的劣悪であると判別されるときに比べて、車両運転者が漫然運転を行う可能性が高いと推定する漫然運転可能性推定手段と、前記漫然運転可能性推定手段により車両運転者が漫然運転を行う可能性が高いと推定された場合に、運転者センサによる車両運転者の運転操作情報又は生体情報に基づいて該車両運転者による漫然運転の有無を判定し、一方、前記漫然運転可能性推定手段により車両運転者が漫然運転を行う可能性が低いと推定された場合に、前記運転者センサによる前記運転操作情報又は前記生体情報に基づく車両運転者による漫然運転の有無判定を行わない漫然運転有無判定手段と、を備える車両運転支援装置により達成される。
【０００６】
この態様の発明においては、車両の走行する道路の環境が比較的良好であるか否かに基づいて車両運転者が漫然運転を行う可能性が推定される。一般に、車両運転者は、道路環境が比較的劣悪であるときは、注意深く運転を行う傾向にあるが、一方、道路環境が比較的良好であるときは、あまり注意深くなくぼんやりとして運転を行う傾向にある。従って、本発明によれば、車両運転者の生体を直接的に検出する生体センサを用いることなく車両運転者による漫然運転の可能性を推定することができる。
【０００７】
ところで、上記した車両運転支援装置において、前記漫然運転可能性推定手段は、前記道路環境判別手段により前記環境が比較的良好であると判別されるときは、該環境が比較的劣悪であると判別されるときに比べて、車両運転者が漫然運転を行う可能性が高いと推定することとすればよい。
【０００８】
また、上記した車両運転支援装置において、前記漫然運転可能性推定手段により車両運転者が漫然運転を行う可能性が高いと推定された場合に、車両運転者の運転操作情報又は生体情報に基づいて、該車両運転者による漫然運転の有無を判定する漫然運転有無判定手段を備えることとすれば、車両運転者の運転操作情報又は生体情報を用いて車両運転者による漫然運転の有無を判定するタイミングを、道路環境が比較的良好であるかの判別結果に基づいて車両運転者が漫然運転を行う可能性が高いと推定した場合に限定することができるので、車両運転者の運転操作情報又は生体情報に基づく漫然運転の有無判定を常に行うことは不要となっている。
【０００９】
また、上記した車両運転支援装置において、前記漫然運転可能性推定手段により車両運転者が漫然運転を行う可能性が高いと推定された場合に、車両運転者の運転を支援するレベルを通常よりも高める運転支援レベル変更手段を備えることとすれば、車両運転者が漫然運転を行う可能性が高いと推定された場合に運転支援レベルを通常よりも高めることができるので、漫然運転に伴う走行安全性の低下を抑止させることができる。
【００１０】
この場合、前記運転支援レベル変更手段は、前記漫然運転可能性推定手段により車両運転者が漫然運転を行う可能性が高いと推定された場合、車両運転者の運転を支援するシステムの作動タイミングを早めることとしてもよい。
【００１１】
更に、上記した車両運転支援装置において、前記道路環境判別手段は、インフラ装置から送信される情報に基づいて、前記環境としての天候が比較的良好であるか否か又は交通渋滞が生じていないか否かを判別することとしてもよい。
【００１２】
尚、本発明において、「漫然運転」とは、周囲の状況などに集中しておらず、とりとめなくぼんやりとして行われる運転のことであり、過労・眠気等による注意力の低下、及び、思考・会話，脇見等による注意力の散漫が生じている運転のことである。
【発明の効果】
【００１３】
本発明によれば、車両運転者の生体を直接的に検出する生体センサを用いることなく車両運転者による漫然運転を予測することができる。
【発明を実施するための最良の形態】
【００１４】
以下、図面を用いて、本発明の具体的な実施の形態について説明する。
【実施例１】
【００１５】
図１は、本発明の第１実施例である車両運転支援装置１０のシステム構成図を示す。本実施例の車両運転支援装置１０は、車両に搭載されており、車両走行時における車両運転者の認知・判断・操作を支援するための装置である。
【００１６】
車両運転支援装置１０は、マイクロコンピュータ等により構成される電子制御ユニット（以下、ＥＣＵと称す）１２を備えている。ＥＣＵ１２は、車両走行時における車両運転者の認知・判断・操作を支援する処理を行う。
【００１７】
ＥＣＵ１２には、車両の車内状態に関する情報を収集するための車内センサ１６が電気的に接続されている。車内センサ１６は、車両運転者の状態（生体や運転操作に関するもの）を除く車内の状態（例えば、室温やにおい，音，同乗者の有無など）に応じた信号を出力するセンサであって、内気温センサやにおいセンサ，マイク，シートセンサなどである。車内センサ１６の各出力はそれぞれ、ＥＣＵ１２に供給される。ＥＣＵ１２は、車内センサ１６の出力信号に基づいて、上記した車内の状態を検出する。
【００１８】
ＥＣＵ１２には、また、車両外の状態に関する情報を収集するための車外センサ１８が電気的に接続されている。車外センサ１８は、車両外の状態（例えば、障害物や先行車両との相対距離や走行レーンの位置，外気温，降雨有無など）に応じた信号を出力するセンサであって、レーダセンサや車載カメラ，外気温センサ，降雨センサなどである。車外センサ１８の各出力はそれぞれ、ＥＣＵ１２に供給される。ＥＣＵ１２は、車外センサ１８の出力信号に基づいて、上記した車両外の状態を検出する。
【００１９】
ＥＣＵ１２には、更に、車両の走行する道路の環境に関する情報を収集するための通信装置２０が電気的に接続されている。通信装置２０は、気象庁や道路情報センタなどの外部センタのインフラ装置から無線送信される、特に車載の車外センサ１８を用いて検出することができるものを除く道路環境に関する情報（例えば、現状の天候や天気予報，渋滞情報，事故情報など）を受信する装置である。通信装置２０の受信した情報は、ＥＣＵ１２に供給される。ＥＣＵ１２は、通信装置２０から供給される情報に基づいて、上記した道路環境を取得する。そして、後述の如く、その取得した道路環境に基づいて、車両運転者が周囲の状況などに集中せずとりとめなくぼんやりとした運転（＝漫然運転；過労・眠気等による注意力の低下、及び、思考・会話，脇見等による注意力の散漫が生じている運転のこと）を行う可能性を判定する。
【００２０】
車両運転支援装置１０は、エアコンやカーステレオなどの車内快適さに関する制御を行う車内制御システム２４、及び、レーンキープやプリクラッシュセーフティなどの車両の安全走行を実現する制御を行う走行制御システム２６を備えている。車内制御システム２４及び走行制御システム２６には共に、上記したＥＣＵ１２が電気的に接続されている。ＥＣＵ１２の判定した漫然運転の可能性に関する情報は、車内制御システム２４及び走行制御システム２６の双方にそれぞれ供給される。
【００２１】
車内制御システム２４には、上記した車内センサ１６が直接に電気的に接続されている。車内センサ１６の出力は、車内制御システム２４にも供給される。車内制御システム２４は、車内センサ１６の出力信号に基づいて車内状態を検出して、その検出した車内状態に応じて車両運転者にとって快適な車内状態が実現されるような制御を行う。例えば、車内センサ１６を用いて検出した内気温が所望値よりも高ければその所望値が実現されるようにエアコン制御を行い、また、車内センサ１６を用いて検出したスピーカからの音量が所望値よりも高ければその所望値が実現されるように音量制御を行う。尚、これらの各所望値は、実験的に求められる一般的な値でもよいが、車両運転者個々に合わせた値であってもよい。
【００２２】
走行制御システム２６には、上記した車外センサ１８が直接に電気的に接続されている。車外センサ１８の出力は、走行制御システム２６にも供給される。走行制御システム２６は、車外センサ１８の出力信号に基づいて車両外の状態を検出して、その検出した車両外の状態に応じて車両の安全走行が実現されるような制御を行う。例えば、自車両を道路に描かれた走行レーンから逸脱するのを防止してその走行レーンに沿って走行させるレーンキープモードでは、車外センサ１８としてのカメラの撮像画像を処理して得た自車両に対する走行レーンの位置が所定のずれ量以上となればすなわち自車両と走行レーンとの位置関係が所望の位置関係になければ所定のタイミングでその所望の位置関係が実現されるようにステアリングアクチュエータを駆動する操舵制御を行う。また、自車両が障害物と衝突する際の衝撃を吸収するプリクラッシュセーフティモードでは、車外センサ１８としてのレーダセンサを用いて検出した障害物との衝突までの時間（＝衝突時間）が所定の時間を下回ると乗員への衝撃が緩和されるようにシートベルトの巻き取りやヘッドレストの高さ調整などの制御を行う。
【００２３】
ところで、車両運転者の心拍数や体温，脳波などの生体を検出するうえでは、それらの生体を直接的に検出する生体センサを車両に独立して設置することが考えられる。しかし、周囲の状況などに集中せずとりとめなくぼんやりとして行われる運転（＝漫然運転）の有無を判定するのに、その車両運転者の生体を直接的に検出する生体センサを用いることとすると、装置自体が過大となり、また、コストが高くなる不都合が生ずる。
【００２４】
そこで、本実施例の車両運転支援装置１０は、車両運転者の生体を直接的に検出する生体センサを用いることなく車両運転者による漫然運転を予測することに特徴を有している。以下、図２を参照して、本実施例の特徴部について説明する。図２は、本実施例の車両運転支援装置１０においてＥＣＵ１２が実行する制御ルーチンの一例のフローチャートを示す。
【００２５】
一般に、車両運転者は、降雨・降雪時或いは渋滞時などの道路環境が比較的劣悪であるときは、注意深く車両運転を行う傾向にあるが、一方、晴天時や渋滞無し時などの道路環境が比較的良好であるときは、あまり注意深くなくぼんやりとして車両運転を行う傾向にある。
【００２６】
本実施例において、ＥＣＵ１２は、上記の如く、外部センタなどのインフラ装置から無線送信されて通信装置２０に受信され、その通信装置２０から供給される情報に基づいて、例えば、現状の天候や天気予報，渋滞情報，事故情報などの道路環境を取得する（ステップ１００）。そして、その取得した道路環境が比較的良好であるか否かを判別する（ステップ１０２）。例えば、その判別を、現状走行する道路における天候が降雨量・降雪量が所定値以上となる雨天・雪天でないか否か、現状走行する道路において時速が所定時速以下となる渋滞が発生していないか否か、現状走行する道路が片側一車線である状況でその幅員が所定距離以上であるか否かなどを判別して、それらのうちの一つについて肯定判定がなされ或いは少なくとも２つ以上について肯定判定がされるか否かに基づいて行う。
【００２７】
その結果、天候が雨天・雪天であり、道路渋滞が発生しており、或いは道路幅員が所定距離未満であることなどにより、道路環境が比較的劣悪であると判別した場合は、車両運転者が注意深く車両運転を行う傾向にあると判断し、漫然運転を行う可能性は低いと推定する（ステップ１０４）。かかる推定がなされると、ＥＣＵ１２から車内制御システム２４へ通常どおりの制御が行われるように指令が行われる（ステップ１０６）。この場合には、車内制御システム２４の制御及び走行制御システム２６の制御が通常どおり行われる。
【００２８】
一方、天候が雨天・雪天でなく、道路渋滞が発生しておらず、かつ道路幅員が所定距離以上であることなどにより、道路環境が比較的良好であると判別した場合は、車両運転者があまり注意深くなく車両運転を行う傾向にあると判断し、漫然運転を行う可能性が高いと推定する（ステップ１０８）。かかる推定がなされると、ＥＣＵ１２から車内制御システム２４へ車両運転者による運転への支援レベルが通常よりも高い制御が行われるように指令が行われる（ステップ１１０）。この場合には、車内制御システム２４の制御及び走行制御システム２６の制御が車両運転者による運転への支援レベルを通常よりも高めて行われる。
【００２９】
例えば、車内制御システム２４においては、車両運転者による漫然運転が解消され易くなるように、スピーカからの音量がその時点におけるものよりも又は許容最大値に大きくされ、運転者の脳が活性化されるような音楽がスピーカから自動的に出力され、或いは、ブロワモータによる風量がその時点におけるものよりも又は許容最大値に大きくされる。また、走行制御システム２６においては、レーンキープモードにおける自動操舵が通常よりも早めに開始され、或いは、プリクラッシュセーフティモードにおけるシートベルトの巻き取りなどが通常よりも早めに開始されるように、自動操舵やシートベルトの巻き取りを開始するうえで必要な自車両に対する走行レーンの位置や衝突時間の閾値が変更される。
【００３０】
このように本実施例の車両運転支援装置１０においては、車両運転者が漫然運転を行う可能性の推定が、インフラ装置から無線送信されて車載の通信装置２０に受信される自車両の走行する道路の環境に関する情報に基づいて、具体的には、その道路環境が比較的良好であるか否かにより行われる。
【００３１】
上記の如く、車両運転者は、道路環境が比較的劣悪であるときは、注意深く車両運転を行う傾向にあるが、一方、道路環境が比較的良好であるときは、あまり注意深くなくぼんやりとして車両運転を行う傾向にある。従って、本実施例の車両運転支援装置１０によれば、その車両運転者の生体を直接的に検出する生体センサを用いることなく車両運転者による漫然運転の可能性を推定することが可能となっており、車両運転者による漫然運転の可能性を推定するのにかかる生体センサを用いることは不要となっている。
【００３２】
このため、車両に車両運転者の生体を直接的に検出する生体センサを設置する必要はないので、車両運転者による漫然運転の可能性を推定するうえで車両運転支援装置１０の構成を簡素化することができ、コスト低減を図ることができる。
【００３３】
また、本実施例の車両運転支援装置１０においては、車両運転者が漫然運転を行う可能性が高いと推定される場合、低いと推定される場合に比して（すなわち、通常よりも）、車内制御システム２４の制御及び走行制御システム２６の制御において車両運転者による運転への支援レベルが高められる。例えば、スピーカからの音量やブロワモータによる風量が大きくされ、運転者の脳を活性化する音楽が自動出力され、或いは自動操舵やシートベルトの巻き取りを開始するうえで必要な自車両に対する走行レーンの位置や衝突時間の閾値が変更される。従って、本実施例によれば、車両運転者が現実に漫然運転を行っていても、制御上における車両運転の支援レベルを高めることで、その漫然運転に伴う走行安全性の低下を抑止させることが可能となっている。
【００３４】
尚、上記の第１実施例においては、ＥＣＵ１２が、図２に示すルーチン中ステップ１０２の処理を実行することにより特許請求の範囲に記載した「道路環境判別手段」が、ステップ１０４，１０８の処理を実行することにより特許請求の範囲に記載した「漫然運転可能性推定手段」が、ステップ１１０の処理を実行することにより特許請求の範囲に記載した「運転支援レベル変更手段」が、それぞれ実現されている。
【実施例２】
【００３５】
上記した第１実施例では、外部のインフラ装置から送信されて通信装置２０に受信された道路環境情報に基づいてその道路環境が比較的良好であるか否かを判別し、車両運転者が漫然運転を行う可能性を推定し、漫然運転の可能性が高いことが推定された場合に車両運転者による運転への支援レベルを高めることとしている。これに対して、本発明の第２実施例においては、車両運転者による漫然運転の可能性が高いことが推定された場合に、その漫然運転が行われているか否かを正確に判別することとしている。
【００３６】
図３は、本発明の第２実施例である車両運転支援装置１００のシステム構成図を示す。本実施例の車両運転支援装置１００は、上記した第１実施例の車両運転装置１０と同様に、車両に搭載されており、車両走行時における車両運転者の認知・判断・操作を支援するための装置である。尚、図３において、上記図１に示す構成と同一の部分については、同一の符号を付してその説明を省略又は簡略する。
【００３７】
本実施例の車両運転支援装置１００は、マイクロコンピュータ等により構成されるＥＣＵ１０２を備えている。ＥＣＵ１０２は、車両走行時における車両運転者の認知・判断・操作を支援する処理を行う。ＥＣＵ１０２には、車内センサ１６、車外センサ１８、通信装置２０、車内制御システム２４、及び走行制御システム２６が電気的に接続されている。
【００３８】
ＥＣＵ１０２には、また、車両運転者に関する情報を収集するための運転者センサ１０４が電気的に接続されている。運転者センサ１０４は、運転者の生体（例えば、心電図や体温，脈拍，呼吸数，顔情報，瞼の開閉，目線の動き，運転姿勢情報など）に応じた信号を出力する生体センサと、運転者による車両運転操作（例えば、操舵角やアクセル開度，ブレーキ操作有無など）に応じた信号を出力する運転操作センサと、を有している。運転者センサ１０４の各出力はそれぞれ、ＥＣＵ１０２に供給される。ＥＣＵ１０２は、運転者センサ１０４の出力信号に基づいて、上記した車両運転者の生体や車両運転操作に関する各種情報を収集して、現状における車両運転者の状態を検出する。
【００３９】
ＥＣＵ１０２には、また、車両運転者の個人情報を格納するデータベース１０６が電気的に接続されている。データベース１０６に格納される個人情報は、上記した運転者センサ１０４を用いて検出可能な車両運転者個人の生体や運転操作に関するものである。具体的には、データベース１０６には、車両運転者が周囲の状況などに集中して適切かつ迅速に運転操作を行うことが可能な運転（＝通常運転）が行われる際における一般的・平均的なもの（少なくともその下限値と上限値とを含めればよい。）或いはその通常運転と漫然運転との境界値を示すものが格納される。
【００４０】
ＥＣＵ１０２は、データベース１０６に格納される情報を車両運転者個々の特性に合わせて更新する処理を行うことが可能であると共に、データベース１０６に格納される情報を読み出して所定の処理を行うことが可能である。尚、ＥＣＵ１０２によるデータベース１０６の情報更新は、例えば、車両走行中に運転者センサ１０４の出力に基づいて検出される車両運転者の運転操作情報や生体情報を用いて学習するものであってもよく、車両のイグニションオンからイグニションオフまでの一回の車両走行当たりの分布傾向を用いるものでも、複数回の車両走行当たりの分布傾向を用いるものでもよく、また、通信接続された外部装置から車両運転者個々の特性に合致した情報を通信により書き込むものであってもよい。
【００４１】
図４は、本実施例の車両運転支援装置１００においてＥＣＵ１０２が実行する制御ルーチンの一例のフローチャートを示す。尚、図４において、上記図２に示すルーチンと同一の処理を実行するステップについては、同一の符号を付してその説明を省略又は簡略する。
【００４２】
すなわち、ＥＣＵ１０２は、取得した道路環境が比較的劣悪であると判別した場合（ステップ１０２における否定判定時）は、車両運転者が漫然運転を行う可能性は低いと推定し（ステップ１０４）、以後、何ら処理を進めることなくルーチンを終了する。一方、取得した道路環境が比較的良好であると判別した場合（ステップ１０２における肯定判定時）は、車両運転者が漫然運転を行う可能性が高いと推定し（ステップ１０８）、次に、その時点で運転者センサ１０４から供給される出力信号に基づいて、現状における車両運転者の状態情報を取得する（ステップ２００）。
【００４３】
ＥＣＵ１０２は、上記の如く運転者センサ１０４を用いて現状における車両運転者の状態情報（運転操作センサの出力に基づく車両運転操作情報、及び、生体センサの出力に基づく生体情報）を取得すると、それら何れか一以上の情報に基づいて、車両運転者が漫然運転を行っているか否かの判定を行う（ステップ２０２）。具体的には、運転者センサ１０４からの現状における車両運転者の状態を、データベース１０６に格納されている通常運転が行われるときのその車両運転者個人の状態と比較して、漫然運転の有無を判定する。
【００４４】
例えば、車両運転者の瞼の開閉（瞬き）の単位時間当たりの回数が通常運転時におけるものよりも少ないとき、目線の動きが通常運転時におけるものよりも少ない或いは小さいとき、体温が常態よりも暖かいとき、運転姿勢が通常運転時におけるものよりも前傾になる傾向があるとき、ブレーキ操作が通常運転時におけるものよりも緩慢であるとき、車両操舵が通常運転時におけるものよりも遅れて行われるとき、ブレーキ操作からアクセル操作への踏み換え或いはその逆の踏み換えが通常運転時におけるものよりも遅れて行われるときなどは、車両運転者が漫然運転を行っていると判定する。
【００４５】
運転者センサ１０４は、車両運転者の生体や車両運転操作に関する各種情報を収集して現状における車両運転者の状態を検出するためのセンサであるので、その運転者センサ１０４を用いて検出される車両運転者の状態に基づく漫然運転の有無判定は、道路環境に基づくものに比べて、その判定精度が高い。従って、本実施例の車両運転支援装置１００によれば、車両運転者による漫然運転の有無を精度よく判定することが可能となっている。
【００４６】
また、本実施例の車両運転支援装置１００において、運転者センサ１０４を用いて検出される車両運転者の運転操作情報や生体情報に基づく漫然運転の有無判定は、通信装置２０を用いて取得した道路環境が比較的良好であるかの判別結果に基づいてその道路環境が比較的劣悪であることで車両運転者が漫然運転を行う可能性は低いと推定した場合には行われず、道路環境が比較的良好であることで車両運転者が漫然運転を行う可能性が高いと推定した場合に始めて行われる。すなわち、その漫然運転の有無を判定するタイミングは、その道路環境が比較的良好であることで車両運転者が漫然運転を行う可能性が高いと推定した場合に限られる。
【００４７】
このため、本実施例においては、運転者センサ１０４を用いた車両運転者の運転操作情報や生体情報に基づく漫然運転の有無判定を常に行うことは不要であり、運転者センサ１０４の出力を常に監視することは不要であるので、その運転者センサ１０４の出力を処理することに伴う負荷が軽減され、電力消費が低減されることとなる。
【００４８】
従って、本実施例の車両運転支援装置１００によれば、必要なときに限定して運転者センサ１０４の出力に基づく車両運転者の運転操作情報や生体情報からその漫然運転の有無を判定しつつ、その漫然運転の有無判定の結果を精度の良いものとすることが可能となっている。
【００４９】
尚、本実施例においては、車両運転者の運転操作情報や生体情報に基づく漫然運転の有無判定が、運転者センサ１０４を用いて検出される現状における運転操作情報や生体情報と、データベース１０６に格納されている通常運転が行われるときのその車両運転者個人の運転操作情報や生体情報と、を比較して行われる。漫然運転が行われているか否かについては車両運転者に応じた個人差があるが、データベース１０６に格納される情報は、車両運転者個々の特性に合わせて更新され得るものであり、車両運転者個々の特性に合わせたものである。従って、本実施例の車両運転支援装置１００によれば、運転者センサ１０４の出力に基づく車両運転者の運転操作情報や生体情報から、漫然運転の有無を、車両運転者個々の特性に合わせて正確に判定することが可能となっている。
【００５０】
尚、上記の第２実施例においては、ＥＣＵ１０２が、図４に示すルーチン中ステップ１０２の処理を実行することにより特許請求の範囲に記載した「道路環境判別手段」が、ステップ１０４，１０８の処理を実行することにより特許請求の範囲に記載した「漫然運転可能性推定手段」が、ステップ２０２の処理を実行することにより特許請求の範囲に記載した「漫然運転有無判定手段」が、それぞれ実現されている。
【００５１】
ところで、上記の第１及び第２実施例においては、外部のインフラ装置から無線送信される道路環境に関する情報に基づいて、その道路環境が比較的良好であるか或いは比較的劣悪であるかの２値的に判別することとし、その判別結果に基づいて車両運転者が漫然運転を行う可能性を高いか或いは低いかの２値的に推定することとしているが、道路環境の良好・劣悪のレベルを３段階以上のうちから判別することとし、漫然運転の可能性を３段階以上に分けて推定することとしてもよい。かかる変形例によれば、車両運転者による漫然運転の可能性の推定を更に木目細かく行うことが可能となる。
【００５２】
また、上記の第１及び第２実施例においては、車両が道路環境に関する情報を外部のインフラ装置から無線送信されることにより取得することとしているが、車載センサや車載装置を用いて取得すること、例えば、雨天や雪天などの天候の情報を車載のレインセンサを用いて取得することとしてもよいし、また、道路幅員の情報をナビゲーションシステムの有する少なくとも道路と幅員との関係が予め格納された地図データベースから取得することとしてもよい。
【００５３】
また、上記の第１実施例においては、通信装置２０に受信される道路環境情報に基づく道路環境が比較的良好であるときは車両運転者による漫然運転の可能性が高いことを推定し、その場合に、車内制御システム２４や走行制御システム２６の制御における車両運転者による運転への支援レベルを高めることとし、また、上記の第２実施例においては、上記の如く道路環境の良好により車両運転者による漫然運転の可能性が高いことを推定した場合に、運転者センサ１０４の出力に基づく車両運転者の運転操作情報や生体情報から漫然運転の有無を精度よく判定することとしている。しかし、本発明は上記の第１実施例と第２実施例とを組み合わせて、道路環境の良好により車両運転者による漫然運転の可能性が高いことを推定した場合に、運転者センサ１０４を用いた漫然運転の有無を判定すると同時に、車内制御システム２４や走行制御システム２６の制御における車両運転者による運転への支援レベルを高めることとしてもよい。
【図面の簡単な説明】
【００５４】
【図１】本発明の第1実施例である車両運転支援装置のシステム構成図である。
【図２】本実施例において実行される制御ルーチンの一例のフローチャートである。
【図３】本発明の第２実施例である車両運転支援装置のシステム構成図である。
【図４】本実施例において実行される制御ルーチンの一例のフローチャートである。
【符号の説明】
【００５５】
１０，１００  車両運転支援装置
１２，１０２  電子制御ユニット（ＥＣＵ）
２０  通信装置
２４  車内制御システム
２６  走行制御システム
１０４  運転者センサ
１０６  データベース
【図１】
0005090810.tif 000002
【図２】
0005090810.tif 000003
【図３】
0005090810.tif 000004
【図４】
0005090810.tif 000005